(57)【要約】【課題】排尿後の利用者の陰茎の先に残った尿を取り除きやすい小便器を提供する。【解決手段】便器１は、尿受面２０が形成された小便器本体２を備える。小便器本体２は、前面が利用者９に対向する対向壁部２２と、対向壁部２２の左右両端部から前方に向かってそれぞれ突出した左右一対の側壁部２３，２４とを有する。尿受面２０は、対向壁部２２の前面と、左右一対の側壁部２３，２４の内面とを含む。左右一対の側壁部２３，２４のうちの少なくとも一方の側壁部に、対向壁部２２の前方領域１８に対して側方から風を送る風吹出部３３が設けられている。【選択図】図１
2018044336.tif 000002
【特許請求の範囲】
【請求項１】
尿受面が形成された小便器本体を備え、
前記小便器本体は、
前面が利用者に対向する対向壁部と、
前記対向壁部の左右両端部から前方に向かってそれぞれ突出した左右一対の側壁部とを有し、
前記尿受面は、
前記対向壁部の前面と、
前記左右一対の側壁部の内面とを含み、
前記左右一対の側壁部のうちの少なくとも一方の側壁部に、前記対向壁部の前方領域に対して側方から風を送る風吹出部が設けられたことを特徴とする小便器。
【請求項２】
前記風吹出部は前記左右一対の側壁部の各々に設けられたことを特徴とする請求項１に記載の小便器。
【請求項３】
前記風吹出部は、前記風として、加熱装置によって加熱された温風を吹出可能であることを特徴とする請求項１又は請求項２に記載の小便器。
【請求項４】
前記風吹出部は前記風として下向き成分を含む風を吹出可能であることを特徴とする請求項１〜３のいずれか１項に記載の小便器。
【請求項５】
前記風吹出部の形状が縦長であることを特徴とする請求項１〜４のいずれか１項に記載の小便器。
【発明の詳細な説明】
【技術分野】
【０００１】
本発明は、小便器に関する。
【背景技術】
【０００２】
特許文献１には小便器が開示されている。この小便器は、小便器ボウル部の上方部に、ファンに連通した送風口が設けられている。前記ファンが駆動されると、前記送風口から下向きに風が吹き出される。このため、小便器の利用者は、前記送風口から吹き出された風により、陰茎の先に残った尿を吹き飛ばして取り除くことができる。
【先行技術文献】
【特許文献】
【０００３】
【特許文献１】特開２０００−７０１８５号公報
【発明の概要】
【発明が解決しようとする課題】
【０００４】
ところで、前記ファンにより発生した風は、送風口から下方に向かって吹き出されるため、下向きの陰茎の先に当たり難い。このため、当該陰茎の先に残った尿が吹き飛ばされ難く、当該尿が取り除かれ難いという課題がある。
【０００５】
本発明は前記事情に鑑みてなされたものであって、排尿後の利用者の陰茎の先に残った尿を取り除きやすい小便器を提供することを目的とする。
【課題を解決するための手段】
【０００６】
前記目的を達成するために本発明に係る一態様の小便器は、以下の特徴を有する。小便器は、尿受面が形成された小便器本体を備えている。前記小便器本体は、前面が利用者に対向する対向壁部と、前記対向壁部の左右両端部から前方に向かってそれぞれ突出した左右一対の側壁部とを有している。前記尿受面は、前記対向壁部の前面と、前記左右一対の側壁部の内面とを含む。前記左右一対の側壁部のうちの少なくとも一方の側壁部に、前記対向壁部の前方領域に対して側方から風を送る風吹出部が設けられている。
【発明の効果】
【０００７】
本発明に係る小便器は、排尿後の利用者の陰茎の先に残った尿が取り除かれやすい。
【図面の簡単な説明】
【０００８】
【図１】図１Ａ〜図１Ｃは、本発明に係る第１実施形態の小便器を示し、図１Ａは正面図であり、図１Ｂは側面図であり、図１Ｃは平面図である。
【図２】図２は、同上の小便器のブロック図である。
【図３】図３Ａ〜図３Ｃは、本発明に係る第２実施形態の小便器を示し、図３Ａは正面図であり、図３Ｂは側面図であり、図３Ｃは平面図である。
【図４】図４は、本発明に係る第３実施形態の小便器の正面図である。
【発明を実施するための形態】
【０００９】
以下に示す第１〜第３実施形態は、小便器に関し、詳しくは、排尿を受ける尿受面を備えた小便器に関する。
【００１０】
（第１実施形態）
図１Ａ〜図１Ｃに示す本実施形態の小便器１は、男性の小便専用のストール小便器であり、床に設置される、又は壁付けされる。なお、以下では、小便器１について、設置状態における方向を用いて説明する。具体的には、小便器１から、小便器１を利用する利用者９に向かう方向を前方とし、当該利用者９から小便器１に向かう方向を後方とし、また、前方から小便器１を見たときを基準にして左右方向を定義する。
【００１１】
小便器１は、小便器本体２と送風装置１０とを備えている。また、本実施形態の小便器１は、小便器１の利用者９を検知する人体検知装置１１と、小便器本体２に形成された尿受面２０に洗浄水を供給する給水装置１２と、制御装置１３（図２参照）と、加熱装置１４とをさらに備えている。
【００１２】
（小便器本体）
小便器本体２は、例えば後面が部屋の壁に沿った状態で床に設置される、又は壁付けされる。本実施形態の小便器本体２は、図１Ａ及び図１Ｃに示すように左右対称形状である。
【００１３】
小便器本体２には、尿受面２０が形成されている。尿受面２０は、小便器本体２において利用者９の排尿を受ける部分であり、上方及び前方に開口した凹状に形成されている。
【００１４】
本実施形態の小便器本体２は、底部２１、対向壁部２２、左右一対の側壁部２３，２４、前壁部２５、及び天井部２６を有している。底部２１の上面、対向壁部２２の前面、左右一対の側壁部２３，２４の内面（左側の側壁部２３の右側面及び右側の側壁部２４の左側面）、前壁部２５の後面、及び天井部２６の下面によって尿受面２０が構成されている。
【００１５】
本実施形態の底部２１は、図１Ｃに示すように、左右幅が前後方向に亘って略一定の後半部２７と、左右幅が前方程小さくなった前半部２８とで構成されている。前半部２８の前縁部は、平面視において左右方向の中央に近い部分ほど前方に位置するように湾曲している。
【００１６】
底部２１の後端部には、対向壁部２２の下端部が繋がっている。対向壁部２２は、底部２１の後端部から上方に向かって突出している。対向壁部２２は、底部２１の後端部の左右方向の全長に亘って形成されている。対向壁部２２は、厚み方向が前後方向と略平行で、縦長の板状に形成されている。対向壁部２２の前面は、小便器本体２の前方に立った利用者９に対向する。
【００１７】
底部２１の左右両側端部には、一対の側壁部２３，２４の下端部がそれぞれ繋がっている。一対の側壁部２３，２４は、底部２１の左右両側端部から上方に向かってそれぞれ突出している。一対の側壁部２３，２４の各々は、厚み方向が左右方向と略平行で縦長の板状に形成されている。各側壁部２３，２４は、底部２１の後半部２７の対応する側端部の全長に亘って形成されている。
【００１８】
一対の側壁部２３，２４の後端部は、対向壁部２２の左右両端部にそれぞれ繋がっている。一対の側壁部２３，２４は、対向壁部２２の左右両端部から前方に向かってそれぞれ突出している。一対の側壁部２３，２４は、ストール小便器の左右一対の袖を構成する。各側壁部２３，２４は、対向壁部２２の対応する側端部において上下方向の全長に亘って形成されている。
【００１９】
底部２１の前端部には、前壁部２５の下端部が繋がっている。前壁部２５は、底部２１の前端部から上方に向かって突出している。前壁部２５は対向壁部２２よりも背が低い。前壁部２５は、平面視において前半部２８の前縁部と重複するように、左右方向の中央部に近い部分程前方に位置するように湾曲している。前壁部２５の左右の側端部は、一対の側壁部２３，２４の前端部の下端部にそれぞれ繋がっている。前壁部２５の後面は、対向壁部２２の前面の下端部に対向している。
【００２０】
各側壁部２３，２４において前壁部２５よりも上方に突出した部分の前端面は、一対の側壁部２３，２４の内側に近い部分ほど後方に位置するように傾斜した傾斜面２９，３０となっている。
【００２１】
対向壁部２２の上端部には、天井部２６の後端部が繋がっている。天井部２６は対向壁部２２の上端部から前方に向かって突出し、一対の側壁部２３，２４の上端部同士を繋いでいる。
【００２２】
（給水装置）
小便器本体２には、図１Ａに示すように、尿受面２０に洗浄水を供給する給水装置１２が設けられている。給水装置１２は、小便器本体２に設けられた吐水部１５と、吐水部１５に水を供給する給水路１６と、給水路１６に設けられた給水弁１７（図２参照）とを有している。
【００２３】
本実施形態の吐水部１５は、対向壁部２２の前面の上端部に設けられている。吐水部１５は、例えば複数の吐出口を有するスプレッダーで構成される。
【００２４】
吐水部１５は給水路１６の下流側端部に接続されている。吐水部１５は、給水路１６を介して図示しない給水源に接続される。
【００２５】
給水路１６の途中には、給水弁１７（図２参照）が設けられている。給水弁１７は例えば電磁弁で構成される。給水弁１７が開いた状態では、給水路１６から吐水部１５に水が供給される。給水路１６から吐水部１５に供給された水は、尿受面２０を洗浄する洗浄水として、尿受面２０に吐出される。このように尿受面２０に吐出された水は、尿受面２０を流下して、底部２１に形成された排水口３５を介して排出される。また、給水弁１７が閉じた状態では、給水路１６の水は吐水部１５に供給されず、吐水部１５は洗浄水を吐出しない。
【００２６】
（人体検知装置）
小便器本体２には、小便器１を利用する利用者９を検知する人体検知装置１１が設けられている。本実施形態の人体検知装置１１は、天井部２６の前端面に設けられた人体検知センサーによって構成されている。人体検知装置１１は例えば赤外線センサーであり、小便器本体２の前方に立った利用者９を検知する。
【００２７】
（制御装置）
小便器本体２には、図２に示す制御装置１３がさらに設けられている。制御装置１３は、例えばマイクロコンピューターで構成される。
【００２８】
制御装置１３は、給水弁１７及び人体検知装置１１に電気的に接続されている。制御装置１３は、例えば以下に示すように、人体検知装置１１の検知結果に基づいて給水弁１７の開閉を制御する。
【００２９】
制御装置１３は、人体検知装置１１によって人体を検知し、この後、人体の存在を検知しなくなったとき、給水弁１７を開く。これにより、図１Ａに示す給水路１６から吐水部１５に水が供給され、吐水部１５から尿受面２０に洗浄水が吐出される。
【００３０】
このため、利用者９が小便器本体２の前方に立って尿受面２０に排尿し、この後、小便器本体２の前方から立ち去ったときには、吐水部１５から洗浄水が所定時間自動的に吐出され、この洗浄水により尿受面２０が洗浄される。
【００３１】
また、制御装置１３は、上述のように給水弁１７を開いた後、所定時間が経過した時点で給水弁１７を閉じる。これにより、吐水部１５からの洗浄水の吐出が止まる。
【００３２】
（送風装置）
図１Ｃに示すように、小便器本体２には、送風装置１０が設けられている。また、小便器本体２には、送風装置１０で発生させた風を利用者９の陰茎に向けて吹き出す風吹出部３３が設けられている。また、本実施形態の小便器本体２には、送風装置１０を駆動することで発生した風を加熱する加熱装置１４がさらに設けられている。すなわち、本実施形態において風吹出部３３から吹き出される風は、加熱装置１４によって加熱された後の風（温風）である。
【００３３】
本実施形態の小便器本体２には、一対の風吹出部３３が設けられている。本実施形態の小便器１は、一対の風吹出部３３にそれぞれ対応する一対の送風装置１０と、一対の風吹出部３３にそれぞれ対応する一対の加熱装置１４とを備えている。
【００３４】
小便器本体２の一対の側壁部２３，２４には、一対の風吹出部３３がそれぞれ設けられている。本実施形態では、図１Ａに示すように、一対の風吹出部３３の各々が、側壁部２３，２４の傾斜面２９，３０の上部に形成されており、同じ高さに位置している。各風吹出部３３は、上下方向に延びた縦長の風吹出口である。各送風装置１０により発生した風は、各風吹出部３３の上下方向の全長に亘る部分から吹き出される。
【００３５】
図１Ｃに示すように、一対の側壁部２３，２４の内部には、一対の送風装置１０がそれぞれ設けられている。一対の送風装置１０の各々は、例えばファンにより構成される。
【００３６】
一対の側壁部２３，２４の内部には、一対の加熱装置１４がそれぞれ設けられている。一対の加熱装置１４の各々は、例えばヒーターにより構成される。各加熱装置１４は、対応する送風装置１０で発生する風の流路において、送風装置１０の下流側に位置し、かつ対応する風吹出部３３の上流側に位置している。各送風装置１０を駆動することで発生した風は、対応する加熱装置１４によって加熱された後、対応する風吹出部３３から吹き出される。
【００３７】
一対の風吹出部３３の各々は、対応する送風装置１０で発生した風を、対向壁部２２の前方領域１８（以下、領域１８という）が位置する側方に向かって風を吹き出し、これにより、領域１８に対して側方から風を供給する。
【００３８】
本実施形態の各風吹出部３３から吹き出される風の向きは、左右方向に対して傾斜しており、図１Ａ及び図１Ｃに示すように前向き成分及び下向き成分を含んでいる。各風吹出部３３から風が吹き出される領域１８は、一対の風吹出部３３（一対の側壁部２３，２４の前端）よりも前方に位置し、かつ一対の風吹出部３３よりも下方に位置している。
【００３９】
一対の送風装置１０及び一対の加熱装置１４は、例えば小便器本体２に設けられた操作部３４を操作することにより、駆動の開始と停止とが切り替えられる。本実施形態では小便器本体２の天井部２６の前端面に、操作部３４としてのスイッチが設けられている。
【００４０】
図２に示すように、一対の送風装置１０、一対の加熱装置１４、及び操作部３４は、例えば前述した制御装置１３に電気的に接続される。制御装置１３は、例えば利用者９により操作部３４が操作されて、送風装置１０の駆動開始の指令を受け付けたときに一対の送風装置１０及び一対の加熱装置１４の駆動を開始する。また、制御装置１３は、例えば利用者９により操作部３４が操作されて送風装置１０の駆動停止の指令を受け付けたときに一対の送風装置１０及び一対の加熱装置１４の駆動を停止する。
【００４１】
（送風装置の利用方法）
送風装置１０は例えば以下のように利用される。利用者９は、小便器本体２の尿受面２０に排尿した後、小便器本体２の前方に立った利用姿勢のまま操作部３４を操作して、送風装置１０の駆動開始の指令を行う。
【００４２】
制御装置１３は、前述した送風装置１０の駆動開始の指令を受けると、一対の送風装置１０及び一対の加熱装置１４の駆動を開始する。これにより、各送風装置１０で発生した風は、対応する加熱装置１４で加熱された後、対応する風吹出部３３から、領域１８に位置する、利用者９の陰茎に向かって吹き出される。このため、利用者９の陰茎の先に残った尿は、各風吹出部３３から吹き出された風により、尿受面２０（詳しくは底部２１）に向けて吹き飛ばされる。
【００４３】
この後、利用者９は操作部３４を操作して、送風装置１０の駆動停止の指令を行う。制御装置１３はこの送風装置１０の駆動停止の指令を受けると、一対の送風装置１０及び一対の加熱装置１４の駆動を停止する。
【００４４】
上述のように一対の送風装置１０が駆動されることで、排尿後の利用者９の陰茎の先に残った尿が吹き飛ばされて取り除かれる。また、これにより、利用者９の下着に尿が付着することが抑制される。
【００４５】
また、本実施形態の各風吹出部３３は、対向壁部２２の前方の領域１８に対して側方から風を送るので、各風吹出部３３から吹き出された風が下向きの陰茎の先に当たりやすくなり、当該陰茎の先に残った尿が吹き飛ばされやすくなる。
【００４６】
また、本実施形態では、左右一対の側壁部２３，２４の各々に風吹出部３３が設けられており、陰茎に対して左右両側方から風が送られる。このため、陰茎の先に残った尿はさらに吹き飛ばされやすくなる。
【００４７】
また、本実施形態の各風吹出部３３から吹き出される風の向きは、下向き成分を含んでいる。このため、各風吹出部３３から吹き出された下向き成分を含む風により、尿受面２０で受けた尿の臭気や蒸気を下方に送ることができる。このため、利用者９は快適に小便器１を利用できる。
【００４８】
また、本実施形態の各風吹出部３３は、前記風として、対応する加熱装置１４で加熱された風（温風）を吹き出す。このため、前述したように吹き飛ばされた尿が利用者９の衣服等に付着したとしても、この尿を各風吹出部３３から吹き出された温風の熱により乾燥させることができる。
【００４９】
また、本実施形態の各風吹出部３３の形状は、縦長である。このため、利用者９の体格や姿勢等が多少異なっても、各風吹出部３３から吹き出された風が利用者９の陰茎に当たりやすい。
【００５０】
（第２実施形態）
次に第２実施形態の小便器１について説明する。なお、以下の第２実施形態の小便器１の説明では、第１実施形態の小便器１と共通する構成については同一の符号を付し、共通する点については説明を省略する。
【００５１】
図３に示す本実施形態の小便器１は、各風吹出部３３から吹き出される風の向きが第１実施形態と異なる。本実施形態の各風吹出部３３から吹き出される風の向きは、下向き成分を含んでおらず、各風吹出部３３から風が吹き出される領域１８は、一対の風吹出部３３と同じ高さに位置している。このため、各風吹出部３３から吹き出された風は、下向きの陰茎の先に一層当たりやすくなる。
【００５２】
（第３実施形態）
次に第３実施形態の小便器１について説明する。なお、以下の第３実施形態の小便器１の説明では、第１実施形態の小便器１と共通する構成については同一の符号を付し、共通する点については説明を省略する。
【００５３】
図４に示す本実施形態の小便器１にあっては、各風吹出部３３から吹き出される風の向きが切り替えられるように構成されている。具体的に各風吹出部３３から吹き出される風の向きは、矢印Ｄ１に示す向きと、矢印Ｄ２に示す向きとに切替可能である。
【００５４】
矢印Ｄ１に示す向きは、第１実施形態において各風吹出部３３から吹き出される風の向きと同じである。すなわち、この場合、一対の風吹出部３３の各々は、左右方向の内側となる側方で、前向き成分を含み、かつ下向き成分を含む向きに風を吹き出す。
【００５５】
また、矢印Ｄ２に示す向きは、第２実施形態において各風吹出部３３から吹き出される風の向きと同じである。すなわち、この場合、一対の風吹出部３３の各々は、左右方向の内側となる側方で、前向き成分を含む向きに風を吹き出す。
【００５６】
なお、各風吹出部３３から吹き出される風の向きは、例えば各風吹出部３３にルーバー等の風向切替部を設けることで切替可能となる。また、例えば各風吹出部３３に、発生する風の向きが異なる送風装置１０を複数設け、これら複数の送風装置１０のうち、選択された送風装置１０を駆動することで、各風吹出部３３から吹き出される風の向きが切り替えられるようにしてもよい。
【００５７】
また、各風吹出部３３から吹き出される風の向きの切り替えは、例えば小便器本体２に設けられた操作部（図示せず）が操作されることで行われてもよいし、制御装置１３により自動的に切り替えられてもよい。
【００５８】
本実施形態の小便器１にあっては、利用者９の体格や好み、用途等に応じて各風吹出部３３から吹き出される風の向きを切り替えることができる。
【００５９】
（補足）
なお、第１〜第３実施形態の小便器１にあっては、風吹出部３３が左右一対の側壁部２３，２４の各々に設けられているが、風吹出部３３は左右一対の側壁部２３，２４のうちの一方の側壁部２３，２４にのみ設けられてもよい。
【００６０】
また、各風吹出部３３は複数の風吹出口で構成されてもよい。また、各風吹出部３３の形状は、縦長の形状に限られず、円形や横長の形状などであってもよい。
【００６１】
また、風吹出部３３は側壁部２３，２４の前端面に形成されているが、側壁部２３，２４の内面（尿受面２０を構成する面）等に設けられてもよい。
【００６２】
また、送風装置１０及び加熱装置１４は、小便器本体２において側壁部２３，２４以外の箇所に設けられてもよいし、流路等を介して風吹出部３３に通じるのであれば、小便器本体２から離れた位置に設けられてもよい。
【００６３】
また、送風装置１０は左右一対の風吹出部３３のそれぞれに設けられているが、例えば一つの送風装置１０で発生させた風が分岐して左右一対の風吹出部３３に供給されるようにしても構わない。また、送風装置１０はファンに限られず、コンプレッサー等で構成されてもよい。
【００６４】
また、送風装置１０の駆動の開始及び停止は、例えば人体検知装置１１による検知結果等に基づいて自動的に切り替えられてもよい。
【００６５】
また、給水装置１２から尿受面２０への洗浄水の供給は、利用者がスイッチ等の洗浄用操作部（図示せず）を操作することで開始されてもよい。この場合、給水装置１２から尿受面２０への洗浄水の供給は、例えば利用者が洗浄用操作部を操作した後、所定時間経過した後に停止される。さらにこの場合、送風装置１０及び加熱装置１４の駆動は、前記洗浄用操作部が利用者により操作された際に開始され、この後、所定時間後に停止されてもよい。
【００６６】
また、加熱装置１４の駆動は、送風装置１０の駆動が開始してから所定時間後に開始されてもよい。この場合、風吹出部は３３は始めに常温の風を吹き出して陰茎の先に残った尿を吹き飛ばし、この後、温風を吹き出して利用者の衣服に付いた尿を乾燥させる。
【００６７】
また、加熱装置１４は省略可能である。すなわち、この場合、各風吹出部３３は常温の風を吹き出す。
【００６８】
また、この他、第１〜第３実施形態の小便器１は、適宜設計変更可能である。
【００６９】
（効果）
以上説明した第１〜第３実施形態の小便器１は、以下に示す特徴を有している。小便器１は、尿受面２０が形成された小便器本体２を備える。小便器本体２は、前面が利用者９に対向する対向壁部２２と、対向壁部２２の左右両端部から前方に向かってそれぞれ突出した左右一対の側壁部２３，２４とを有する。尿受面２０は、対向壁部２２の前面と、左右一対の側壁部２３，２４の内面とを含む。左右一対の側壁部２３，２４のうちの少なくとも一方の側壁部に、対向壁部２２の前方領域１８に対して側方から風を送る風吹出部３３が設けられている。以下、この特徴を有する小便器１を第１の態様の小便器１という。
【００７０】
第１の態様の小便器１にあっては、風吹出部３３から吹き出された風が、対向壁部２２の前方領域１８に対して側方から供給される。このため、風吹出部３３から吹き出された風は、利用者９の下向きの陰茎の先に当たりやすくなり、当該陰茎の先に残った尿が吹き飛ばされやすくなる。
【００７１】
また、第１〜第３実施形態の小便器１は、第１の態様の小便器１の特徴に加えて、以下に示す付加的な特徴を有する。風吹出部３３は左右一対の側壁部２３，２４の各々に設けられている。以下、この特徴を有する小便器１を第２の態様の小便器１という。
【００７２】
第２の態様の小便器１にあっては、左右一対の側壁部２３，２４に設けられた風吹出部３３から吹き出された風が、対向壁部２２の前方領域１８に対して側方から供給される。このため、陰茎の先に残った尿が左右両側方から供給された風によって吹き飛ばされ、陰茎の先に尿が残ることが一層抑制される。
【００７３】
また、第１〜第３実施形態の小便器１は、第１又は第２の態様の小便器１の特徴に加えて、以下に示す付加的な特徴を有する。風吹出部３３は前記風として加熱装置１４によって加熱された温風を吹出可能である。以下、この特徴を有する小便器１を第３の態様の小便器１という。
【００７４】
第３の態様の小便器１は、吹き飛ばされた尿が利用者９の衣服等に付着したとしても、この尿を風吹出部３３から吹き出された温風の熱により乾燥させることができる。
【００７５】
また、第１〜第３実施形態の小便器１は、第１〜第３のいずれか１つの態様の小便器１の特徴に加えて、以下に示す付加的な特徴を有する。風吹出部３３は、前記風として、下向き成分を含む風を吹出可能である。以下、この特徴を有する小便器１を第４の態様の小便器１という。
【００７６】
第４の態様の小便器１にあっては、尿受面２０で受けた尿の臭気や蒸気等を下方に送ることができる。このため、利用者９は快適に小便器１を利用できる。
【００７７】
また、第１〜第３実施形態の小便器１は、第１〜第４のいずれか１つの態様の小便器１の特徴に加えて、以下に示す付加的な特徴を有する。風吹出部３３の形状が縦長である。以下、この特徴を有する小便器１を第５の態様の小便器１という。
【００７８】
第５の態様の小便器１は、風吹出部３３の形状が縦長であるので、利用者９の体格や姿勢等が多少異なっても、各風吹出部３３から吹き出された風が利用者９の陰茎に当たりやすくなる。
【符号の説明】
【００７９】
１  小便器
１４  加熱装置
１８  前方領域
２  小便器本体
２０  尿受面
２２  対向壁部
２３  側壁部
２４  側壁部
３３  風吹出部
９  利用者
【図１】
2018044336.tif 000003
【図２】
2018044336.tif 000004
【図３】
2018044336.tif 000005
【図４】
2018044336.tif 000006